(57)【要約】【課題】  プレスパートを通過する際にフェルト繊維等の極小の異物が紙の表面に付着した状態で出荷されると、印刷不良等を生じるおそれがあるため、簡単な装置で付着異物を除去できるようにした紙の付着異物除去装置を提供する。【解決手段】  ワインダ装置１のスリッターナイフ２の上流側に、回転自在に異物除去ロール４を配設する。異物除去ロール４の外周面には傾斜パイル織物地を巻き付けてあり、スリッターナイフ２に至る紙Ｓをこの外周面に接触させて走行させると、傾斜パイルによって紙Ｓの表面の付着異物が掻き取られて除去される。【選択図】        図１
2013204214.tif 000002
【特許請求の範囲】
【請求項１】
製造された紙を巻き取りあるいは巻き解く際の紙の走行域に、外周面を臨ませた異物除去ロールを配し、
前記異物除去ロールの外周面に傾斜パイル織物地を巻き付けて、前記紙を該外周面に接触させながら走行させることを特徴とする紙の付着異物除去装置。
【請求項２】
前記異物除去ロールを、ワインダ装置のスリッターナイフの上流側に配したことを特徴とする請求項１に記載の紙の付着異物除去装置。
【請求項３】
前記異物除去ロールは固定してあることを特徴とする請求項１または請求項２に記載の紙の付着異物除去装置。
【請求項４】
前記異物除去ロールは回転自在であることを特徴とする請求項１または請求項２に記載の紙の付着異物除去装置。
【請求項５】
前記異物除去ロールを、駆動手段によって回転させることを特徴とする請求項４に記載の紙の付着異物除去装置。
【発明の詳細な説明】
【技術分野】
【０００１】
この発明は、抄紙機により製造される過程で紙の表面に付着した異物を除去する紙の付着異物除去装置に関する。
【背景技術】
【０００２】
例えば、長網式抄紙機では、走行するワイヤーに製紙原料を噴射して拡散させ、走行させながら脱水するワイヤーパートと、フェルトと共にプレスロールにより挟持させて搾水するプレスパート、過熱蒸気が供給されたドライヤシリンダの表面に紙をカンバスによって押圧させながら乾燥させるドライパートと、カレンダーロールにより圧潰させて表面を平滑にする等を行うカレンダーパートと、製造された紙をマシンリールに巻き取るリールパートとを主体として構成されている。なお、抄造する紙の種類によってはドライパートの途中にサイズ剤を塗布するサイズプレスが配設されている。
【０００３】
前記プレスパートにおいては、前述のように、紙にフェルトを密着させて搾水することにより、該フェルトの脱毛やサイズ液粕異物が紙の表面に付着するおそれがある。しかも、搾水されることによってこれらの異物が強固に紙表面に付着してしまう場合がある。また、サイズプレスにおいてはサイズ液塗布時に周囲に飛散したサイズ液が固化し、粕異物となって紙の表面に付着するおそれがある。
【０００４】
フェルトの脱毛は、フェルトの使用開始直後や高圧洗浄の際に生じたり、摩耗したフェルト繊維の脱落等によって生じる。またサイズ液粕は、サイズプレスの部分でサイズ液を塗布する際にサイズ液が飛散し、周囲のフレームやキャリアロープ等に付着し乾燥した固化したものが走行中の紙の表面に脱落して付着する。
【０００５】
このようなフェルト繊維やサイズ液粕等の異物が付着した紙を印刷に供すると、印刷機のブランケットに転移したこれらの異物が印刷の白抜けや塗工部の品質不良の原因となってしまう。他方、これらの異物は小さいものが多いため、抄紙機に装備されている欠陥検出器では見逃されたり、誤検出されたりしてしまうものがある。特に、近年の高い品質の印刷が要求される場合には、従来の欠陥検出器では十分に対応できない場合がある。
【０００６】
例えば、特許文献１には、永久的粘着性が保持される粘着ロールの粘着面に被処理物を当接案内させて、被処理物である帯状製品の連続クリーニング装置が開示されている。
【０００７】
また、特許文献２には、シートを搬送するシート搬送装置に備える異物除去装置であって、回転体のまわりに刷毛を設けて異物除去部材を、前記刷毛が、シートを搬送するシート搬送回転体に接するように備えた異物除去装置が開示されている。
【先行技術文献】
【特許文献】
【０００８】
【特許文献１】特公平７−６５２６６号公報
【特許文献２】特開２００４−２５６２２８号公報
【発明の概要】
【発明が解決しようとする課題】
【０００９】
特許文献１で開示された帯状製品の連続クリーニング装置は、粘着ロールの粘着性を永久的に保持させるために、粘着面に付着した不純物を除去して粘着性を保持させるために粘着ロールに熱湯を吹き付ける手段や、吹き付けられた熱湯の水分を除去する手段等を要し、部品点数が多くなって大型化している。
【００１０】
また、粘着ロールに熱湯を吹き付ける構造であるが、被処理物を紙とする場合には、紙に水分を吸収させることは不都合であるから、紙の表面から異物を除去する場合には、この連続クリーニング装置は使用することができない。
【００１１】
他方、特許文献２に記載された異物除去装置では、シート面から前記シート搬送回転体で異物を除去する際に、除去した異物をケース等に収容させることを要するから、装置が大型化してしまう。また、刷毛でシート搬送回転体から異物を掻き取るものであるから、ワインダ装置等のように、巻取から巻き解かれて連続して走行する紙の表面から異物を除去しようとすると紙粉を発生させてしまうおそれがあり、この紙粉が印刷等の際に不良を生じる原因となるおそれがある。
【００１２】
そこで、この発明は、複雑な構造や大型な装置を要することなく、簡単な構造で、紙粉を発生させることなく、紙面に付着した異物を極力除去できる紙の付着異物除去装置を提供することを目的としている。
【課題を解決するための手段】
【００１３】
前記目的を達成するための技術的手段として、この発明に係る紙の付着異物除去装置は、製造された紙を巻き取りあるいは巻き解く際の紙の走行域に、外周面を臨ませた異物除去ロールを配し、前記異物除去ロールの外周面に傾斜パイル織物地を巻き付けて、前記紙を該外周面に接触させながら走行させることを特徴としている。
【００１４】
傾斜パイル織物地は、無数の短いパイルを傾斜させて表面に突出させた織物地で、衣服用ブラシ等に応用されている。この傾斜パイル織物地を巻き付けて前記異物除去ロールを構成する。この異物除去ロールに紙を接触させながら走行させると、紙の表面に付着した異物が傾斜パイルに掻き取られて除去される。
【００１５】
また、請求項２の発明に係る紙の付着異物除去装置は、前記異物除去ロールを、ワインダ装置のスリッターナイフの上流側に配したことを特徴としている。
【００１６】
製造された紙の表面から異物を除去するものであるため、例えば、抄紙機のリールパートに配して、紙を巻き取る際にこの異物除去ロールを通過させるようにすることもできるが、ワインダ装置に設置するようにしたものである。この場合、巻取を小幅に切断するスリッターナイフの上流側に配設したものである。
【００１７】
また、請求項３の発明に係る紙の付着異物除去装置は、前記異物除去ロールが固定してあることを特徴としている。
【００１８】
すなわち、異物除去ロールが、その回転を阻止された状態で支持されているものである。
【００１９】
また、請求項４の発明に係る紙の付着異物除去装置は、前記異物除去ロールが回転自在であることを特徴としている。
【００２０】
前記異物除去ロールが回動自在に支持されていれば、接触している紙の走行に伴われて僅かずつでも回転する。これにより、紙との接触部が変更されて異物を除去する部分が更新される、異物を除去する機能が確実に維持される。
【００２１】
また、請求項５の発明に係る紙の付着異物除去装置は、前記異物除去ロールを、駆動手段によって回転させることを特徴としている。
【００２２】
前記異物除去ロールを駆動手段によって積極的に回転させることにより、接触部を確実に変更させるようにしたものである。なお、回転方向は紙の走行方向に対して順方向と逆方向とのいずれの方向でも構わず、紙の性質に応じて回転方向を選択する。
【発明の効果】
【００２３】
この発明に係る紙の付着異物除去装置によれば、紙が走行する際に接触することで表面に付着した異物を除去するから、煩雑な操作等を要することなく、簡便に付着異物を除去できる。しかも、異物除去ロールに関して、粘着性を保持するための装置等を要することがなく、付着異物除去装置を複雑な構造としたり、大型化したりすることがない。
【００２４】
また、請求項２の発明に係る紙の付着異物除去装置によれば、紙を出荷するために小幅の巻取とする際に、異物の除去を行うため、最終段階での除去作業となり、極力異物の付着していない製品を出荷できる。
【００２５】
また、請求項３の発明に係る紙の付着異物除去装置によれば、紙との接触を確実に維持できて、付着異物を確実に除去することができる。
【００２６】
また、請求項４の発明に係る紙の付着異物除去装置によれば、紙との接触部が移動することにより、異物の除去の機能低下を極力抑制できて、異物の除去効率が良好に維持される。なお、この異物除去ロールに掻き取り板等を接触させて設け、異物除去ロールに転移した異物をこの掻き取り板等で掻き取って除去するようにすれば、異物除去ロールの外周面から常時異物を排除できるので好ましい。
【００２７】
また、請求項５の発明に係る紙の付着異物除去装置によれば、紙との接触部を確実に移動させることができ、異物の除去の機能低下をより確実に抑制できる。
【図面の簡単な説明】
【００２８】
【図１】この発明に係る紙の付着異物除去装置をワインダ装置のフレーム設置した場合の概略構造を示す正面図である。
【図２】この発明に係る紙の付着異物除去装置をワインダ装置に設置した場合の側面図で、紙の走行域との関係を示している。
【図３】図１に示すＡ−Ａ線に沿って切断した異物除去ロールの断面図である。
【発明を実施するための形態】
【００２９】
以下、図示した好ましい実施の形態に基づいて、この発明に係る紙の付着異物除去装置を具体的に説明する。
【００３０】
図２はワインダ装置１における紙Ｓの走行域を説明する図であり、アンワインダにセットされた巻取Ｒから紙Ｓが巻き解かれながらスリッターナイフ２に案内され、該スリッターナイフ２で幅方向の所定の位置で切断されて小幅に形成されい、一対のワインダドラム３に案内されて小幅の巻取ｒが形成される。
【００３１】
前記スリッターナイフ２の上流側に、この付着異物除去装置を構成する異物除去ロール４が設置されている。この異物除去ロール４には、図３に示すように、傾斜パイル織物地4aが巻き付けてあり、該傾斜パイル織物地4aに紙Ｓが接触して走行するようにしてある。なお、傾斜パイルの方向は紙Ｓの表面に付着した異物を除去するのに適した方向としてある。
【００３２】
前記異物除去ロール４は、図１に示すように、ワインダ装置１のフレーム1aに掛け渡され、軸受けを介して回転自在に支持されており、接触する紙Ｓの走行に伴われて回転するようにしてある。なお、紙Ｓはガイドロール1b、1cにより案内されている。
【００３３】
以上により構成されたこの発明に係る紙の付着異物除去装置の作用を、以下に説明する。
【００３４】
抄紙機によって製造された紙Ｓは巻取Ｒに形成される。この巻取Ｒは生産効率等を考慮して幅員の大きなものであり、そのままでは出荷できず、また需要者の側でも扱えるものではない。このため、ワインダ装置１に供して幅方向の所定の位置で切断して、小幅の巻取ｒに形成する。ワインダ装置１に供された巻取Ｒはガイドロール1bに案内されてスリッターナイフ２に供給される。このスリッターナイフ２に供給されるに先立って、紙Ｓは前記異物除去ロール４に接触して走行する。この異物除去ロール４の外周面には傾斜パイル織物地4aが巻き付けられているから、紙Ｓは該傾斜パイル織物地4aの表面を擦過する。このとき、該傾斜パイル織物地4aの表面のパイルによって紙Ｓの表面に付着している異物が掻き取られ、傾斜パイル織物地4aに転移して除去される。
【００３５】
転移した異物は、例えば、巻取Ｒを交換する際等に人手によって異物除去ロール４の表面から除去される。あるいは、異物除去ロール４の外周面に端縁部を臨ませた掻き取り板等を配設し、異物除去ロール４の外周面が端縁部を擦過して外周面から異物を掻き落とすようにすることもできる。
【００３６】
また、異物除去ロール４は回転自在に支持されているため、紙Ｓの走行に伴われて回転することになる。一方、この異物除去ロール４を駆動装置によって回転させるようにしても構わない。
【００３７】
異物除去ロール４を、例えば電動モータの出力回転によって回転させるようにする場合には、紙Ｓの走行速度と異物除去ロール４の周速との比を容易に調整できるため、紙Ｓの表面に付着した異物を除去するのに最も効率よい比を簡単に設定することができる。また、紙Ｓの走行方向に対して異物除去ロール４の回転方向を順方向とするか逆方向とするかも容易に設定することができる。
【産業上の利用可能性】
【００３８】
この発明に係る紙の付着異物除去装置によれば、異物除去ロールに接触させて紙を走行させれば表面に付着した異物が除去されるから、効率よく異物を除去でき、印刷時等に発生する印刷不良の減少に寄与する。
【符号の説明】
【００３９】
Ｓ  紙
Ｒ  巻取
ｒ  小幅の巻取
１  ワインダ装置
1a  フレーム
1b、1c  ガイドロール
２  スリッターナイフ
３  ワインダドラム
４  異物除去ロール
4a  傾斜パイル織物地
【図１】
2013204214.tif 000003
【図２】
2013204214.tif 000004
【図３】
2013204214.tif 000005